(57)【特許請求の範囲】
【請求項１】
羽根であって、
翼形基端から翼形先端に外方に延在する正圧面及び負圧面を有する複合材翼形と、
前記羽根の前方端部及び後方端部で又はその近くで前記複合材翼形の翼弦方向に離間された前縁及び後縁と
を備えており、
前記複合材翼形が外側羽根マウントによって支持され、
前記外側羽根マウントが、前記外側羽根マウントの外側ブリッジから半径方向内方に延在する１つ又は複数の外側翼桁を備え、
１つ又は複数の外側ポケットが前記翼形先端から前記複合材翼形内へと半径方向に延在し、
前記１つ又は複数の外側翼桁が前記１つ又は複数の外側ポケットにそれぞれ完全に受けられて該１つ又は複数の外側翼桁が前記複合材翼形内に完全に収容される
ことを特徴とする、羽根。
【請求項２】
前記外側翼桁が、前記外側ポケット内で前記複合材翼形に接着接合されることを更に特徴とする、請求項１に記載の羽根。
【請求項３】
前記翼形基端と前記翼形先端との間に前記複合材翼形内の通路が延在することを更に特徴とする、請求項２に記載の羽根。
【請求項４】
前記外側ブリッジが、前記外側羽根マウントの正圧側面及び負圧側面から円周方向又は垂直方向に離れるように延在する正圧側耳部及び負圧側耳部の翼弦方向に離間された前方組及び後方組の間に軸方向に延在することを更に特徴とする、請求項２又は３に記載の羽根。
【請求項５】
前記外側翼桁が、前記外側ブリッジと一体的であることを更に特徴とする、請求項１乃至４のいずれか１項に記載の羽根。
【請求項６】
前記外側翼桁が、鍛造又は鋳造によって前記ブリッジと一体的に形成されることを更に特徴とする、請求項１乃至５のいずれか１項に記載の羽根。
【請求項７】
金属製前縁先端が、前記複合材翼形の前記前縁に沿って配置されることを更に特徴とする、請求項１乃至６のいずれか１項に記載の羽根。
【請求項８】
前記外側翼桁が、前記外側ポケット内で前記複合材翼形に接着接合されることを更に特徴とする、請求項１乃至７のいずれか１項に記載の羽根。
【請求項９】
ガスタービンエンジン環状ファンフレームであって、
前記ファンフレームの内側リングと外側リングとの間に半径方向に延在し、それらを半径方向に接続する複合出口案内羽根の環状列を備えており、
前記羽根の各々が翼形基端から翼形先端に外方に延在する正圧面及び負圧面を有する複合材翼形を備え、
前記出口案内羽根が、それぞれ前記内側リング及び外側リングに取り付けられた軸方向に延在する内側羽根マウント及び外側羽根マウント内に取り付けられ、
前記出口案内羽根の前方端部及び後方端部で又はその近くで前記複合材翼形の翼弦方向に離間された前縁及び後縁を更に備えており、
前記内側羽根マウントが、前記内側羽根マウントの内側ブリッジから半径方向外方に延在する１つ又は複数の内側翼桁を備え、
前記複合材翼形内に１つ又は複数のポケットが配置され、前記１つ又は複数の翼桁が前記１つ又は複数のポケットにそれぞれ収容され、
前記外側羽根マウントが、前記外側羽根マウントの外側ブリッジから半径方向内方に延在する１つ又は複数の外側翼桁を備え、
１つ又は複数の外側ポケットが前記翼形先端から前記複合材翼形内へと半径方向に延在し、前記１つ又は複数の外側翼桁が前記１つ又は複数の外側ポケットにそれぞれ完全に受けられて該１つ又は複数の外側翼桁が前記複合材翼形内に完全に収容されることを特徴とする、ファンフレーム。
【請求項１０】
前記１つ又は複数の内側翼桁が、それぞれ前記１つ又は複数の内側ポケット内で前記複合材翼形に接着接合され、前記１つ又は複数の外側翼桁がそれぞれ前記１つ又は複数の外側ポケットに接着接合されることを更に特徴とする、請求項９に記載のファンフレーム。
【請求項１１】
前記複合材翼形内で前記翼形基端と前記翼形先端との間に通路が延在することを更に特徴とする、請求項１０に記載の羽根。
【請求項１２】
金属製前縁先端が、前記複合材翼形の前記前縁に沿って配置されることを更に特徴とする、請求項９乃至１１のいずれか１項に記載のファンフレーム。
【請求項１３】
前記１つ又は複数の内側翼桁が、前記内側ブリッジと一体的であり、前記１つ又は複数の外側翼桁が前記外側ブリッジと一体的であることを更に特徴とする、請求項９乃至１２のいずれか１項に記載のファンフレーム。
【請求項１４】
金属製前縁先端が、前記複合材翼形の前記前縁に沿って配置されることを更に特徴とする、請求項９乃至１３のいずれか１項に記載のファンフレーム。
【請求項１５】
鍛造又は鋳造によって、前記１つ又は複数の内側翼桁が前記内側ブリッジと一体的に形成され、前記１つ又は複数の外側翼桁が前記外側ブリッジと一体的に形成されることを更に特徴とする、請求項９乃至１４のいずれか１項に記載のファンフレーム。
【発明の詳細な説明】
【技術分野】
【０００１】
本発明は、ガスタービンエンジンの複合材翼形の取り付けに関し、特に、航空ガスタービンエンジンにおける翼形の取り付けに関する。
【背景技術】
【０００２】
ターボファンタイプのバイパスガスタービンエンジンは、一般に、前方ファン及びブースタ圧縮機と、中間コアエンジンと、後方低圧出力タービンとを備える。コアエンジンは、高圧圧縮機と、燃焼器と、高圧タービンとを直流関係で備える。コアエンジンの高圧圧縮機と高圧タービンとは、高圧シャフトによって相互接続される。高圧圧縮機、タービン、及びシャフトは、実質的に高圧ロータを形成する。高圧圧縮機は、回転駆動されて、コアエンジンに流入する空気を比較的高圧に圧縮する。この高圧空気は次に、燃焼器において燃料と混合され点火されて、高エネルギーガス流を形成する。ガス流は、後方に流れて高圧タービンを通過し、高圧タービン及び高圧シャフトを回転駆動し、次いで高圧シャフトが圧縮機を回転駆動する。
【０００３】
高圧タービンから流出するガス流は、第２タービン即ち低圧タービンを通って膨張する。低圧タービンは、低圧シャフトを介してファン及びブースタ圧縮機を回転駆動し、それらの全てが低圧ロータを形成する。低圧シャフトは、高圧ロータを通って延在する。ファンは、エンジンのファンセクションの一部であって、ファンを囲みファンフレームによって支持されるファンケーシングを更に備える。一般的に、ファンフレームは、ファンバイパスダクト全体に半径方向に延在する構造的なファン支柱を備える。ファンケーシング上の前方垂直支持マウントは、エンジンを航空機上のパイロンに回動可能に接合して支持するために使用され、バイパスダクトの半径方向内方に位置決めされるフレーム上のスラストマウントは、パイロンを通して航空機にエンジンのスラスト荷重を伝達するために使用される。
【０００４】
フレームは、バイパスダクトから流出するファン空気流を真っ直ぐにするために使用される、支柱間に円周方向に分布させられたファン出口案内羽根を更に備えることができる。ファン支柱及び出口案内羽根は、既存の複合材料よりも重い金属から一般的に製造される。出口案内羽根アセンブリは、バイパスダクトの端部にあるファンノズルの前で渦を除去するために使用される。そのような出口案内羽根アセンブリは、ファン流がバイパスダクトに案内される前にファンから排出される空気流を略軸方向に進路変更するように構成される。ファン空気流の進路変更に加えて、出口案内羽根アセンブリは構造的剛性もファンフレームに与える。
【先行技術文献】
【特許文献】
【０００５】
【特許文献１】米国特許第７，７５３，６５３Ｂ２号
【発明の概要】
【発明が解決しようとする課題】
【０００６】
エンジンの重量を減少させ、より燃料効率の良いエンジン及び航空機を提供するために、エンジンに複合材料を組み込むことは非常に望ましい。複合材料から航空機ガスタービンエンジンの羽根翼形を製造することは知られている。更に望まれているものは、ファンフレームアセンブリ内に複合材翼形をしっかりと頑丈に取り付けて、翼形及びファンフレームアセンブリの寿命を向上させるための取り付けシステムである。
【０００７】
特に構造的羽根である複合材翼形を組み込んだ羽根は、複合材翼形からファンフレーム等の金属製支持構造物へ荷重を伝達しなければならない。構造的に頑丈であることに加えて、羽根は軽量であることが重要である。わずかな重量衝撃で複合材翼形から金属製翼形支持構造物とファンフレームの残りの部分とに荷重を伝達することが重要である。
【課題を解決するための手段】
【０００８】
羽根は、翼形基端から翼形先端に外方に延在する正圧面及び負圧面を有する複合材翼形と、羽根の前方端部及び後方端部で又はその近くで複合材翼形の翼弦方向に離間された前縁及び後縁とを備える。複合材翼形は外側羽根マウントによって支持されており、外側羽根マウントは、外側羽根マウントの外側ブリッジから半径方向内方に延在する１つ又は複数の外側翼桁を備える。外側翼桁は、翼形先端から複合材翼形内へと半径方向に延在する１つ又は複数の外側ポケットにそれぞれ収容される。
【０００９】
外側翼桁は、外側ポケット内で複合材翼形に接着接合される。複合材翼形は、翼形基端と翼形先端との間に延在する通路を有する。外側ブリッジは、外側羽根マウントの正圧側面及び負圧側面から円周方向又は垂直方向に延在する正圧側耳部及び負圧側耳部の翼弦方向に離間された前方組及び後方組の間に軸方向に延在させる。
【００１０】
外側翼桁は外側ブリッジと一体的であり、例えば鍛造又は鋳造によって外側ブリッジと一体的に形成される。金属製前縁先端は複合材翼形の前縁に沿って配置される。
【００１１】
羽根のより詳細な実施形態では、外側羽根マウントが外側羽根マウントの外側ブリッジから半径方向内方に延在する前方外側翼桁及び後方外側翼桁を有しており、翼形先端から複合材翼形内へと半径方向に延在する前方外側ポケット及び後方外側ポケットを備え、前方外側翼桁及び後方外側翼桁が前方外側ポケット及び後方外側ポケット内にそれぞれ収容される。内側羽根マウントのより詳細な実施形態は、内側羽根マウントの内側ブリッジから半径方向外方に延在し、複合材翼形内に配置された前方内側ポケット及び後方内側ポケットに収容される前方内側翼桁及び後方内側翼桁を備える。
【００１２】
ガスタービンエンジン環状ファンフレームは、ファンフレームの内側リングと外側リングとの間に半径方向に延在し、それらを半径方向に接続する複合出口案内羽根の環状列を備える。羽根の様々な実施形態を上記で開示しているが、出口案内羽根は、それぞれ内側リング及び外側リングに取り付けられた軸方向に延在する内側羽根マウント及び外側羽根マウント内に取り付けられる。複合材翼形内の通路は、翼形基端と翼形先端との間に延在させ、前方外側ポケット及び後方外側ポケットと前方内側ポケット及び後方内側ポケットとの間に翼弦方向に配置される。
【００１３】
前方内側翼桁及び後方内側翼桁は内側ブリッジと一体的であり、前方外側翼桁及び後方外側翼桁は外側ブリッジと一体的である。
【００１４】
外側ブリッジの別の実施形態は、正圧側耳部及び負圧側耳部の前方組及び後方組の間の外側ブリッジの窪んだ外面と、正圧側耳部及び負圧側耳部の前方組及び後方組の間の外側ブリッジの中間セクションとを備える。ブリッジ窪みは、中間セクション内に延在し、窪んだ外面によって外方を囲まれている。
【００１５】
本発明の上記の態様及びその他の特徴は、添付図面と関連してなされる以下の説明において説明される。
【図面の簡単な説明】
【００１６】
【図１】翼桁に取り付けられた複合材翼形を有する出口案内羽根を含むファンフレームアセンブリを備えた航空機ターボファンガスタービンエンジンの例示的実施形態の縦方向部分断面及び部分概略図である。
【図２】図１に示す出口案内羽根の斜視図である。
【図３】図２に示す複合材翼形及び内側羽根マウントの部分分解図である。
【図４】図１に示す隣接する出口案内羽根の対の斜視図である。
【図５】図２に示す複合材翼形を支持する外側羽根マウントアセンブリの拡大斜視図である。
【図６】図１に示すファンフレームの内側リングと外側リングとの間に取り付けられた出口案内羽根の拡大斜視図である。
【図７】図１に示すファンフレームの内側リングに取り付けられた出口案内羽根の拡大斜視図である。
【図８】図１に示すファンフレームのファン外側ファンケーシングに取り付けられた出口案内羽根の拡大斜視図である。
【図９】外側羽根マウントから複合材翼形へと半径方向内方に延在し、複合材翼形の支持を行なう翼桁の例示的実施形態の斜視概略図である。
【図１０】図９に示すマウントとは別の外側羽根マウントの斜視図である。
【発明を実施するための形態】
【００１７】
図１は、エンジン中心線軸１２を囲み、航空機の主翼又は胴体に取り付けられるように適切に設計された例示的な航空機ターボファンガスタービンエンジン１０を示す。エンジン１０は、下流の直流関係において、ファン１４と、ブースタ又は低圧圧縮機１６と、高圧圧縮機１８と、燃焼器２０と、高圧タービン（ＨＰＴ）２２と、低圧タービン（ＬＰＴ）２４とを備える。ＨＰＴ即ち高圧タービン２２は、高圧駆動シャフト２３によって高圧圧縮機１８に接合される。ＬＰＴ即ち低圧タービン２４は、低圧駆動シャフト２５によってファン１４とブースタ又は低圧圧縮機１６との両方に接合される。
【００１８】
一般的な運転では、空気２６がファン１４によって加圧され、この空気の内側部分が低圧圧縮機１６に案内されて、空気が更に加圧される。加圧空気はその後、高圧圧縮機１８へと流れて、空気が更に加圧される。加圧空気は、燃焼器２０において燃料と混合されて高温燃焼ガス２８を発生させ、これがＨＰＴ２２及びＬＰＴ２４を順に通って下流に流れる。２つのタービンにおいてエネルギーが抽出されて、ファン１４、低圧圧縮機１６、及び高圧圧縮機１８に動力が供給される。ファン１４のすぐ後ろのブースタ圧縮機１６を囲む流れ分割器３４は鋭い前縁を備えており、これがファン１４によって加圧されたファン空気２６を、ブースタ圧縮機１６に案内される半径方向内方流とバイパスダクト３６に案内される半径方向外方流とに分割する。
【００１９】
ファン１４を囲むファンナセル３０は、環状ファンフレーム３２によって支持される。低圧圧縮機１６は、ファンフレーム３２の前方のファン１４に適切に接合され、ファンナセル３０の内面から半径方向内方に離間された環状流れ分割器３４の半径方向内側に配置されてそれらの間で環状ファンバイパスダクト３６を部分的に画定する。ファンフレーム３２は、ナセル３０を支持する。
【００２０】
ファンフレーム３２は、ファンバイパスダクト３６を通って半径方向外方に延在し、ファンフレーム３２の半径方向内側リング及び外側リング３３、３５に適切に取り付けられる複合出口案内羽根（ＯＧＶ）３８の環状列を備える。複合出口案内羽根３８は、ファンフレーム３２の半径方向内側リング及び外側リング３３、３５を接続するファンフレーム３２の唯一の構造要素である。ファンバイパスダクト３６を通過するファンフレーム３２の別個の構造的支柱は存在しない。出口案内羽根３８は、バイパスダクト３６内のバイパス流の進路変更による渦の除去を行ない、ファンフレーム３２の構造能力も提供する。出口案内羽根３８は、ファンフレーム３２の半径方向内側リング及び外側リング３３、３５に取り付けられる。内側リング及び外側リング３３、３５は、図６に更に詳細に示す前方レール及び後方レール３７、３９を備える。
【００２１】
図２を参照すると、出口案内羽根３８の各々は、翼形基端４４から翼形先端４６に外方に延在する正圧面及び負圧面４１、４３を有する複合材翼形４２を含むアセンブリである。本明細書に示す例示的な正圧面及び負圧面４１、４３は、それぞれ凹面及び凸面である。複合材翼形４２は、出口案内羽根３８の前方端部及び後方端部４８、５０で又はその近くで翼弦方向に離間された前縁及び後縁ＬＥ、ＴＥを備える。翼弦Ｃは、翼形の翼形断面の前縁及び後縁ＬＥ、ＴＥ間の線として定義される。金属製前縁先端５２は、異物損傷（ＦＯＤ）及び鳥吸込み損傷に対して複合材翼形を保護するために前縁ＬＥに沿って配置される。軸方向に延在する内側羽根マウント及び外側羽根マウント５４、５６は、ファンフレーム３２の内側リング及び外側リング３３、３５に対する出口案内羽根３８の取り付けを行なう（図１及び６に示す）。
【００２２】
内側羽根マウント５４は、本明細書では金属製として示されるがこれに限定されるものではなく、出口案内羽根３８の前方端部及び後方端部４８、５０において内側羽根マウント５４から半径方向内方に垂れ下がる前方フランジ及び後方フランジ１２４、１２６間に軸方向に延在するブリッジ６６を備える。前方フランジ及び後方フランジ１２４、１２６は、ファンフレーム３２の内側リング３３の前方レール及び後方レール３７、３９それぞれにボルト留めされる。１つ又は複数の翼桁は、ブリッジ６６から離れるように延在する。図２及び３に示す内側羽根マウント５４の例示的実施形態は、ブリッジ６６から半径方向に離れるように、より詳細にはブリッジ６６から半径方向外方に延在する前方翼桁及び後方翼桁７０、７２を備える。
【００２３】
翼形基端４４から複合材翼形４２内へと半径方向に延在する前方ポケット及び後方ポケット７４、７６は、図３に示すようにその中に前方翼桁及び後方翼桁７０、７２それぞれを収容するように寸法決め及び位置決めされる。前方翼桁及び後方翼桁７０、７２は、それぞれ前方ポケット及び後方ポケット７４、７６内で複合材翼形４２に接着又はその他の方法で接合されるか又は取り付けられる。翼桁は、好ましくはブリッジ６６と一体的である。翼桁は、鍛造又は鋳造を用いてブリッジと一体的に形成される。本明細書に示す複合材翼形４２の例示的実施形態は、翼形基端４４から翼形先端４６に延在し、前方ポケット及び後方ポケット７４、７６間に翼弦方向に配置された空洞即ち通路６８を有する中空である。
【００２４】
図４は、隣接する出口案内羽根３８の対４０を示す。出口案内羽根３８の各々は、複合材翼形４２を含むアセンブリである。複合材翼形４２は、翼形基端４４から翼形先端４６に外方に延在する正圧面及び負圧面４１、４３を備える。本明細書に示す例示的な正圧面及び負圧面４１、４３は、それぞれ凹面及び凸面である。複合材翼形４２は、出口案内羽根３８の前方端部及び後方端部４８、５０で又はその近くで翼弦方向に離間された前縁及び後縁ＬＥ、ＴＥを備える。翼弦Ｃは、翼形の翼形断面の前縁及び後縁ＬＥ、ＴＥ間の線として定義される。金属前縁先端５２は、異物損傷（ＦＯＤ）及び鳥吸込み損傷に対して複合材翼形を保護するために前縁ＬＥに沿って配置される。
【００２５】
前方フランジ及び後方フランジ１２４、１２６は、図６及び７に示すように出口案内羽根３８の前方端部及び後方端部４８、５０において内側羽根マウント５４から半径方向内方に垂れ下がる。前方フランジ及び後方フランジ１２４、１２６は、ファンフレーム３２の内側リング３３の前方レール及び後方レール３７、３９それぞれにボルト留めされる。
【００２６】
図５、６及び８を参照すると、外側羽根マウント５６は、翼形先端４６において複合材翼形４２の正圧面及び負圧面１００、１０２それぞれに取り付けられる、幅方向に離間された正圧面ブラケット及び負圧面ブラケット９４、９６のアセンブリとして示されている。正圧面ブラケット及び負圧面ブラケット９４、９６は、翼形先端４６において複合材翼形４２の正圧面及び負圧面１００、１０２それぞれの形状に適合する正圧側壁及び負圧側壁１０４、１０６を備えており、正圧側壁及び負圧側壁１０４、１０６は翼形先端４６に取り付けられている。翼弦方向に離間された上流耳部及び下流耳部１１０、１１２は、正圧側壁及び負圧側壁１０４、１０６から円周方向又は垂直方向に離れるように延在する。耳部は、本明細書では示さないねじによって外側ファンケーシング５９又はケーシング内のシュラウドにねじ留めされる。正圧側壁及び負圧側壁１０４、１０６を翼形先端４６に取り付けるための一種の手段として、本明細書では正圧側壁及び負圧側壁１０４、１０６内の、対応する翼弦方向に離間された正圧側孔及び負圧側孔１０８、１０９を通して配置されたボルト１０７を示す。
【００２７】
図４〜８を参照すると、隣接する内側羽根マウント５４と出口案内羽根３８との間にフェアリング５８が取り付けられている。外側羽根マウント５６は、ファンフレーム３２の外側リング３５として機能する外側ファンケーシング５９に取り付けられる。フェアリング５８とファンケーシング５９とは結合して、出口案内羽根３８の複合材翼形４２間にファンフレーム３２を通るファンフレーム流路６１を形成する。
【００２８】
図９には、軸方向に延在する別の外側羽根マウント８４が、本明細書では金属製であって、外側羽根マウント８４の正圧側面及び負圧側面９８、１００から円周方向又は垂直方向に離れるように延在する正圧側耳部及び負圧側耳部７８、８０の翼弦方向に離間された前方組及び後方組８８、９０の間に軸方向に延在する外側ブリッジ８６を含むように示されているがこれに限定されるものではない。耳部は、本明細書では示さないねじによって外側ファンケーシング５９又はケーシング内のシュラウドにねじ留めされる。
【００２９】
１つ又は複数の外側翼桁は、外側ブリッジ８６から離れるように延在する。図９及び１０に示す外側羽根マウント８４の例示的実施形態は、外側ブリッジ８６から半径方向に離れるように、より詳細には外側ブリッジ８６から半径方向内方に延在する前方外側翼桁及び後方外側翼桁１３０、１３２を備える。翼形先端４６から複合材翼形４２内へと半径方向に延在する前方外側ポケット及び後方外側ポケット１３４、１３６は、その中に前方外側翼桁及び後方外側翼桁１３０、１３２それぞれを収容するように寸法決め及び位置決めされる。前方外側翼桁及び後方外側翼桁１３０、１３２は、それぞれ前方外側ポケット及び後方外側ポケット１３４、１３６内で複合材翼形４２に接着又はその他の方法で接合されるか又は取り付けられる。
【００３０】
翼桁は、好ましくは外側ブリッジ８６と一体的である。翼桁は、鍛造又は鋳造を用いて翼桁と一体的に形成される。本明細書に示す複合材翼形４２の例示的実施形態は、翼形基端４４から翼形先端４６に延在し、前方外側ポケット及び後方外側ポケット１３４、１３６間に翼弦方向に配置された空洞即ち通路６８を有する中空である。
【００３１】
図１０は、外側羽根マウント８４の正圧側面及び負圧側面９８、１００から円周方向又は垂直方向に離れるように延在する正圧側耳部及び負圧側耳部７８、８０の翼弦方向に離間された前方組及び後方組８８、９０の間に軸方向に延在する低重量外側ブリッジ１４６を備えた軸方向に延在する別の低重量外側羽根マウント１４４を示す。図９に示す外側ブリッジ８６は比較的平坦な外面９７を有しているが、低重量外側ブリッジ１４６の外面９７は、正圧側耳部及び負圧側耳部７８、８０の前方組及び後方組８８、９０の間で窪んでいる。低重量外側ブリッジ１４６は、正圧側耳部及び負圧側耳部７８、８０の前方組及び後方組８８、９０の間に中間セクション１４８を有しており、これが中間セクション１４８内に延在し、窪んだ外面９７によって外方を囲まれたブリッジ窪み１５０を備える。
【００３２】
本発明を例示的な方法で説明してきた。使用した技術用語は、限定ではなくて本質的に説明の用語であることを意図していることを理解されたい。本明細書では、本発明の好適且つ例示的な実施形態であると考えられるものについて説明してきたが、本発明のその他の変更が、本明細書の教示から当業者には明らかであり、従って、全てのそのような変更は、本発明の技術的思想及び技術的範囲内に属するものとして特許請求の範囲で保護されることが望まれる。
【００３３】
従って、本特許出願によって保護されることが望まれるものは、特許請求の範囲に記載し特定した発明である。
【符号の説明】
【００３４】
１０  ガスタービンエンジン
１２  エンジン中心線軸
１４  ファン
１６  ブースタ又は低圧圧縮機
１８  高圧圧縮機
２０  燃焼器
２２  高圧タービン
２３  高圧駆動シャフト
２４  低圧タービン
２５  低圧駆動シャフト
２６  空気
２８  高温燃焼ガス
３０  ファンナセル
３２  ファンフレーム
３３  内側リング
３４  流れ分割器
３５  外側リング
３６  バイパスダクト
３７  前方レール
３８  出口案内羽根
３９  後方レール
４０  対
４１  正圧面
４２  複合材翼形
４３  負圧面
４４  翼形基端
４６  翼形先端
４８  前方端部
５０  後方端部
５２  前縁先端
５４  内側羽根マウント
５６  外側羽根マウント
５８  フェアリング
６１  ファンフレーム流路
６６  ブリッジ
６８  通路
７０  前方翼桁
７２  後方翼桁
７４  前方ポケット
７６  後方ポケット
７８  正圧側耳部
８０  負圧側耳部
８４  外側羽根マウント
８６  外側ブリッジ
８８  前方組
９０  後方組
９４  正圧面ブラケット
９６  負圧面ブラケット
９７  外面
９８  正圧側面
１００  負圧側面
１０２  負圧面
１０４  正圧側壁
１０６  負圧側壁
１０７  ボルト
１０８  正圧側孔
１０９  負圧側孔
１１０  上流耳部
１１２  下流耳部
１２４  前方フランジ
１２６  後方フランジ
１３０  前方外側翼桁
１３２  後方外側翼桁
１３４  前方外側ポケット
１３６  後方外側ポケット
１４６  低重量外側ブリッジ
１４８  中間セクション
１５０  ブリッジ窪み
Ｃ  翼弦
ＬＥ  前縁
ＴＥ  後縁
【図１】
0005967929.tif 000002
【図２】
0005967929.tif 000003
【図３】
0005967929.tif 000004
【図４】
0005967929.tif 000005
【図５】
0005967929.tif 000006
【図６】
0005967929.tif 000007
【図７】
0005967929.tif 000008
【図８】
0005967929.tif 000009
【図９】
0005967929.tif 000010
【図１０】
0005967929.tif 000011